(57)【要約】【課題】混色を防ぐことができる画像形成装置を提供する。【解決手段】ドラムカートリッジ１Ａは、第１色のトナーを収容するトナーカートリッジ２Ａ、または、第１色と異なる第２色のトナーを収容するトナーカートリッジ２Ｂのいずれか一方を装着可能である。フレーム１０３は、トナーカートリッジが装着された状態のドラムカートリッジを装着可能なスロット１０３Ａ、１０３Ｂを有する。制御部３の制御メモリ３２には、スロット１０３Ａ、１０３Ｂそれぞれに対応する色情報を記憶する。制御部３のプロセッサ３１は、スロット１０３Ａに装着されたドラムカートリッジ１Ａのドラムメモリに色情報が記憶されていない場合、その色情報を、ドラムメモリに書き込む。【選択図】図１
2019174677.tif 000002
【特許請求の範囲】
【請求項１】
感光ドラムと、前記感光ドラムに関するドラム情報を記憶するドラムメモリと、を有するドラムカートリッジであって、第１色のトナーを収容する第１トナーカートリッジ、または、前記第１色と異なる第２色のトナーを収容する第２トナーカートリッジのいずれか一方を装着可能なドラムカートリッジと、
前記第１トナーカートリッジが装着された状態の前記ドラムカートリッジを装着可能な第１スロットと、前記第１スロットと異なる位置に位置する第２スロットであって、前記第２トナーカートリッジが装着された状態の前記ドラムカートリッジを装着可能な第２スロットと、を有するフレームと、
前記第１スロットに対応する第１色情報であって、前記第１色に対応する第１色情報と、前記第２スロットに対応する第２色情報であって、前記第２色に対応する第２色情報と、を記憶する制御メモリと、プロセッサと、を有する制御部と、
を備え、
前記プロセッサは、
前記第１スロットまたは前記第２スロットに前記ドラムカートリッジが装着された状態において、
前記ドラムメモリから、前記ドラム情報を読み込むドラム読込処理と、
前記ドラム読込処理において読み込んだ前記ドラム情報に、前記第１色情報または前記第２色情報が含まれているか否かを判定する第１ドラム判定処理と、
前記第１ドラム判定処理において、前記ドラム情報に前記第１色情報および前記第２色情報が含まれていないと判定した場合、前記制御メモリに記憶された色情報を、前記ドラムメモリに書き込む書込処理であって、
前記第１スロットに前記ドラムカートリッジが装着されている場合には、前記制御メモリに記憶された前記第１色情報を、前記ドラムメモリに書き込み、
前記第２スロットに前記ドラムカートリッジが装着されている場合には、前記制御メモリに記憶された前記第２色情報を、前記ドラムメモリに書き込む、
書込処理と、
を実行可能であることを特徴とする、画像形成装置。
【請求項２】
請求項１に記載の画像形成装置において、
前記プロセッサは、
前記第１ドラム判定処理において、前記ドラム情報に前記第１色情報または前記第２色情報のいずれか一方が含まれていると判定した場合、
前記ドラム情報に含まれている色情報と、前記制御メモリに記憶された色情報とが一致するか否かを判定する第２ドラム判定処理、
を実行可能であることを特徴とする、画像形成装置。
【請求項３】
請求項２に記載の画像形成装置であって、
前記第１トナーカートリッジは、
前記第１色に対応する第１トナー色情報を記憶するトナーメモリを有し、
前記第２トナーカートリッジは、
前記第２色に対応する第２トナー色情報を記憶するトナーメモリを有し、
前記プロセッサは、
前記第１トナーカートリッジまたは前記第２トナーカートリッジが前記第１スロットに装着された状態において、
トナーメモリから、トナー色情報を読み込むトナー読込処理と、
前記トナー読込処理において読み込んだトナー色情報と前記制御メモリに記憶された色情報とが一致するか否かを判定するトナー判定処理と、
を実行可能であることを特徴とする、画像形成装置。
【請求項４】
請求項３に記載の画像形成装置であって、
前記プロセッサは、
前記第２ドラム判定処理において、前記ドラム情報に含まれている色情報と前記制御メモリに記憶された色情報とが一致すると判定し、
前記トナー判定処理において、前記トナー読込処理において読み込んだ色情報と前記制御メモリに記憶された色情報とが一致すると判定した場合、印刷の実行を可能にする印刷処理
を実行することを特徴とする、画像形成装置。
【請求項５】
請求項４に記載の画像形成装置であって、
前記プロセッサは、
前記第２ドラム判定処理において、前記ドラム情報に含まれている色情報と前記制御メモリに記憶された色情報とが一致しないと判定した場合、ドラムエラーを報知するドラムエラー報知処理、
を実行可能であることを特徴とする、画像形成装置。
【請求項６】
請求項５に記載の画像形成装置であって、
ディスプレイを備え、
前記プロセッサは、
前記ドラムエラー報知処理において、前記ドラムエラーを前記ディスプレイに表示させる、
ことを特徴とする、画像形成装置。
【請求項７】
請求項４から請求項６のいずれか１項に記載の画像形成装置であって、
前記プロセッサは、
前記トナー判定処理において、前記トナー読込処理において読み込んだ色情報と前記制御メモリに記憶された色情報とが一致しないと判定した場合、トナーエラーを報知するトナーエラー報知処理、
を実行可能であることを特徴とする、画像形成装置。
【請求項８】
請求項７に記載の画像形成装置であって、
ディスプレイを備え、
前記プロセッサは、
前記トナーエラー報知処理において、前記トナーエラーを前記ディスプレイに表示させる、
ことを特徴とする、画像形成装置。
【請求項９】
請求項３から請求項８のいずれか１項に記載の画像形成装置であって、
前記制御メモリは、
前記第１スロットに対応する第１色情報であって、黒色に対応する第１色情報と、前記第２スロットに対応する第２色情報であって、黒色とは異なる色に対応する第２色情報と、を記憶し、
前記プロセッサは、
前記トナーカートリッジが装着された状態の前記ドラムカートリッジが前記第１スロットに装着されている場合、
前記第２ドラム判定処理において、前記ドラム情報に含まれる色情報と前記制御メモリに記憶された色情報が一致すると判定し、前記トナー判定処理において、前記トナーメモリに記憶された色情報と前記制御メモリに記憶された色情報が一致すると判定した場合、少なくとも、モノクロ印刷での印刷処理を許可する、
ことを特徴とする画像形成装置。
【請求項１０】
請求項９に記載の画像形成装置であって、
前記プロセッサは、
前記トナーカートリッジが装着された状態の前記ドラムカートリッジが前記第１スロットおよび前記第２スロットそれぞれに装着されている場合、
前記第２ドラム判定処理において、前記第１スロットに装着された前記ドラムカートリッジの前記ドラムメモリに記憶された前記ドラム情報に含まれる色情報が、前記第１色情報であり、前記第２スロットに装着された前記ドラムカートリッジの前記ドラムメモリに記憶された前記ドラム情報に含まれる色情報が、前記第２色情報でない場合、モノクロ印刷での印刷処理のみを許可する、
ことを特徴とする、画像形成装置。
【請求項１１】
請求項９に記載の画像形成装置であって、
前記プロセッサは、
前記トナーカートリッジが装着された状態の前記ドラムカートリッジが前記第１スロットおよび前記第２スロットそれぞれに装着されている場合、
前記第２ドラム判定処理において、前記第１スロットに装着された前記ドラムカートリッジの前記ドラムメモリに記憶された前記ドラム情報に含まれる色情報が、前記第１色情報であり、前記第２スロットに装着された前記ドラムカートリッジの前記ドラムメモリに記憶された前記ドラム情報に含まれる色情報が、前記第２色情報である場合、カラー印刷およびモノクロ印刷での印刷処理を許可する、
ことを特徴とする、画像形成装置。
【請求項１２】
請求項１から請求項１１のいずれか１項に記載の画像形成装置であって、
前記プロセッサは、
前記感光ドラムを駆動させる感光ドラム駆動処理を実行可能であり、
前記感光ドラム駆動処理の実行後に、前記書込処理を実行する、
ことを特徴とする、画像形成装置。
【請求項１３】
請求項１から請求項１２のいずれか１項に記載の画像形成装置であって、
前記プロセッサは、
記録媒体への印刷を開始する印刷開始処理を実行可能であり、
前記印刷開始処理の実行後に、前記書込処理を実行する、
ことを特徴とする、画像形成装置。
【発明の詳細な説明】
【技術分野】
【０００１】
本発明は、画像形成装置に関する。
【背景技術】
【０００２】
従来の画像形成装置には、イエローのトナーを収容するトナーカートリッジと、マゼンタのトナーを収容するトナーカートリッジと、シアンのトナーを収容するトナーカートリッジと、ブラックのトナーを収容するトナーカートリッジと、各トナーカートリッジを着脱可能な複数のドラムカートリッジと、を設けたものがある。各トナーカートリッジは、各ドラムカートリッジに装着された状態で、画像形成装置に装着される。この画像形成装置については、例えば、特許文献１に記載されている。
【先行技術文献】
【特許文献】
【０００３】
【特許文献１】特開２００９−１６２９０５号公報
【発明の概要】
【発明が解決しようとする課題】
【０００４】
特許文献１に記載の画像形成装置において、例えば、イエローのトナーを収容するトナーカートリッジ（以下、イエローのトナーカートリッジ）を交換する場合に、イエローのトナーカートリッジを、ドラムカートリッジから取り外す。そして、新たなイエローのトナーカートリッジを、ドラムカートリッジに装着する。しかし、イエローのトナーカートリッジを交換する場合に、新たに、イエローとは異なる色のトナーを収容するトナーカートリッジを、ドラムカートリッジに装着してしまう可能性がある。この場合に、イエローのトナーとイエローとは異なる色のトナーが、ドラムカートリッジの感光ドラムに付着し、印刷時に混色が生じるおそれがある。
【０００５】
本発明は、混色を防ぐことができる画像形成装置を提供することを目的とする。
【課題を解決するための手段】
【０００６】
第１発明の画像形成装置は、感光ドラムと、前記感光ドラムに関するドラム情報を記憶するドラムメモリと、を有するドラムカートリッジであって、第１色のトナーを収容する第１トナーカートリッジ、または、前記第１色と異なる第２色のトナーを収容する第２トナーカートリッジのいずれか一方を装着可能なドラムカートリッジと、前記第１トナーカートリッジが装着された状態の前記ドラムカートリッジを装着可能な第１スロットと、前記第１スロットと異なる位置に位置する第２スロットであって、前記第２トナーカートリッジが装着された状態の前記ドラムカートリッジを装着可能な第２スロットと、を有するフレームと、前記第１スロットに対応する第１色情報であって、前記第１色に対応する第１色情報と、前記第２スロットに対応する第２色情報であって、前記第２色に対応する第２色情報と、を記憶する制御メモリと、プロセッサと、を有する制御部と、を備え、前記プロセッサは、前記第１スロットまたは前記第２スロットに前記ドラムカートリッジが装着された状態において、前記ドラムメモリから、前記ドラム情報を読み込むドラム読込処理と、前記ドラム読込処理において読み込んだ前記ドラム情報に、前記第１色情報または前記第２色情報が含まれているか否かを判定する第１ドラム判定処理と、前記第１ドラム判定処理において、前記ドラム情報に前記第１色情報および前記第２色情報が含まれていないと判定した場合、前記制御メモリに記憶された色情報を、前記ドラムメモリに書き込む書込処理であって、前記第１スロットに前記ドラムカートリッジが装着されている場合には、前記制御メモリに記憶された前記第１色情報を、前記ドラムメモリに書き込み、前記第２スロットに前記ドラムカートリッジが装着されている場合には、前記制御メモリに記憶された前記第２色情報を、前記ドラムメモリに書き込む書込処理と、を実行可能である。
【０００７】
第２発明は、第１発明の画像形成装置において、前記プロセッサは、前記第１ドラム判定処理において、前記ドラム情報に前記第１色情報または前記第２色情報のいずれか一方が含まれていると判定した場合、前記ドラム情報に含まれている色情報と、前記制御メモリに記憶された色情報とが一致するか否かを判定する第２ドラム判定処理、を実行可能である。
【０００８】
第３発明は、第２発明の画像形成装置であって、前記第１トナーカートリッジは、前記第１色に対応する第１トナー色情報を記憶するトナーメモリを有し、前記第２トナーカートリッジは、前記第２色に対応する第２トナー色情報を記憶するトナーメモリを有し、前記プロセッサは、前記第１トナーカートリッジまたは前記第２トナーカートリッジが前記第１スロットに装着された状態において、トナーメモリから、トナー色情報を読み込むトナー読込処理と、前記トナー読込処理において読み込んだトナー色情報と前記制御メモリに記憶された色情報とが一致するか否かを判定するトナー判定処理と、を実行可能である。
【０００９】
第４発明は、第３発明の画像形成装置であって、前記プロセッサは、前記第２ドラム判定処理において、前記ドラム情報に含まれている色情報と前記制御メモリに記憶された色情報とが一致すると判定し、前記トナー判定処理において、前記トナー読込処理において読み込んだ色情報と前記制御メモリに記憶された色情報とが一致すると判定した場合、印刷の実行を可能にする印刷処理、を実行する。
【００１０】
第５発明は、第４発明の画像形成装置であって、前記プロセッサは、前記第２ドラム判定処理において、前記ドラム情報に含まれている色情報と前記制御メモリに記憶された色情報とが一致しないと判定した場合、ドラムエラーを報知するドラムエラー報知処理、を実行可能である。
【００１１】
第６発明は、第５発明の画像形成装置であって、ディスプレイを備え、前記プロセッサは、前記ドラムエラー報知処理において、前記ドラムエラーを前記ディスプレイに表示させる。
【００１２】
第７発明は、第４発明から第６発明のいずれか１つの画像形成装置であって、前記プロセッサは、前記トナー判定処理において、前記トナー読込処理において読み込んだ色情報と前記制御メモリに記憶された色情報とが一致しないと判定した場合、トナーエラーを報知するトナーエラー報知処理、を実行可能である。
【００１３】
第８発明は、第７発明の画像形成装置であって、ディスプレイを備え、前記プロセッサは、前記トナーエラー報知処理において、前記トナーエラーを前記ディスプレイに表示させる。
【００１４】
第９発明は、第３発明から第８発明のいずれか１つの画像形成装置であって、前記制御メモリは、前記第１スロットに対応する第１色情報であって、黒色に対応する第１色情報と、前記第２スロットに対応する第２色情報であって、黒色とは異なる色に対応する第２色情報と、を記憶し、前記プロセッサは、前記トナーカートリッジが装着された状態の前記ドラムカートリッジが前記第１スロットに装着されている場合、前記第２ドラム判定処理において、前記ドラム情報に含まれる色情報と前記制御メモリに記憶された色情報が一致すると判定し、前記トナー判定処理において、前記トナーメモリに記憶された色情報と前記制御メモリに記憶された色情報が一致すると判定した場合、少なくとも、モノクロ印刷での印刷処理を許可する。
【００１５】
第１０発明は、第９発明の画像形成装置であって、前記プロセッサは、前記トナーカートリッジが装着された状態の前記ドラムカートリッジが前記第１スロットおよび前記第２スロットそれぞれに装着されている場合、前記第２ドラム判定処理において、前記第１スロットに装着された前記ドラムカートリッジの前記ドラムメモリに記憶された前記ドラム情報に含まれる色情報が、前記第１色情報であり、前記第２スロットに装着された前記ドラムカートリッジの前記ドラムメモリに記憶された前記ドラム情報に含まれる色情報が、前記第２色情報でない場合、モノクロ印刷での印刷処理のみを許可する。
【００１６】
第１１発明は、第９発明の画像形成装置であって、前記プロセッサは、前記トナーカートリッジが装着された状態の前記ドラムカートリッジが前記第１スロットおよび前記第２スロットそれぞれに装着されている場合、前記第２ドラム判定処理において、前記第１スロットに装着された前記ドラムカートリッジの前記ドラムメモリに記憶された前記ドラム情報に含まれる色情報が、前記第１色情報であり、前記第２スロットに装着された前記ドラムカートリッジの前記ドラムメモリに記憶された前記ドラム情報に含まれる色情報が、前記第２色情報である場合、カラー印刷およびモノクロ印刷での印刷処理を許可する。
【００１７】
第１２発明は、第１発明から第１１発明のいずれか１つの画像形成装置であって、前記プロセッサは、前記感光ドラムを駆動させる感光ドラム駆動処理を実行可能であり、前記感光ドラム駆動処理の実行後に、前記書込処理を実行する。
【００１８】
第１３発明は、第１発明から第１２発明のいずれか１つの画像形成装置であって、前記プロセッサは、記録媒体への印刷を開始する印刷開始処理を実行可能であり、前記印刷開始処理の実行後に、前記書込処理を実行する。
【発明の効果】
【００１９】
本発明によれば、ドラムメモリに色情報が書き込まれていない場合に、ドラムメモリに色情報を書き込むことで、ドラムカートリッジを交換する場合、ドラムカートリッジが、対応する色のスロットに装着されているか否かの判定を行える。これにより、間違った色のドラムカートリッジが、スロットに装着されることを防止でき、混色を抑制できる。
【００２０】
第５発明および第６発明によれば、ユーザに、ドラムカートリッジを、適切なスロットへ装着することを促すことができる。
【００２１】
第７発明および第８発明によれば、ユーザに、トナーカートリッジを、適切なスロットへ装着することを促すことができる。
【００２２】
第９発明、第１０発明および第１１発明によれば、少なくともモノクロ印刷を行えるため、全く印刷できない状態を回避できる。
【図面の簡単な説明】
【００２３】
【図１】画像形成装置の概念図である。
【図２】画像形成装置における電気的接続を示す図である。
【図３】トナーカートリッジおよびドラムカートリッジ装着後の処理の流れを示すフローチャートである。
【図４】メモリ通信処理を示すフローチャートである。
【図５】トナーカートリッジおよびドラムカートリッジの装着後の処理の流れを示すフローチャートである。
【図６】メモリ通信処理での処理を示すフローチャートである。
【図７】トナーカートリッジおよびドラムカートリッジの装着後の処理の流れを示すフローチャートである。
【図８】メモリ通信処理での処理を示すフローチャートである。
【図９】モノクロ印刷処理を示すフローチャートである。
【図１０】カラー印刷処理を示すフローチャートである。
【発明を実施するための形態】
【００２４】
＜１．実施形態１＞
＜１−１．装置の構成＞
図１は、画像形成装置１００の概念図である。図２は、画像形成装置１００における電気的接続を示す図である。
【００２５】
画像形成装置１００は、電子写真方式のプリンタである。画像形成装置１００の例としては、レーザプリンタまたはＬＥＤプリンタが挙げられる。図１に示すように、画像形成装置１００は、本体ケーシング１０１、制御部３、複数のドラムカートリッジ１Ａ、１Ｂ、１Ｃ、１Ｄ、複数のトナーカートリッジ２Ａ、２Ｂ、２Ｃ、２Ｄ、フレーム１０３およびディスプレイ１０４を有する。
【００２６】
本実施形態のトナーカートリッジ２Ａ、２Ｂ、２Ｃ、２Ｄは、互いに異なる色（例えば、シアン、マゼンタ、イエロー、およびブラックの各色）のトナー（現像剤）を収容する。ただし、トナーカートリッジ２Ａ、２Ｂ、２Ｃ、２Ｄは、異なる色のトナーを収容する２つのトナーカートリッジを含んでいればよい。例えば、トナーカートリッジ２Ａは、第１色（例えば、シアン）のトナーを収容する。トナーカートリッジ２Ｂは、第１色と異なる第２色（例えば、ブラック）のトナーを収容する。この場合、トナーカートリッジ２Ｃ、２Ｄは、第１色または第２色のトナーを収容してもよい。トナーカートリッジ２Ａは、本発明の「第１トナーカートリッジ」の一例である。トナーカートリッジ２Ｂは、本発明の「第２トナーカートリッジ」の一例である。
【００２７】
トナーカートリッジ２Ａ、２Ｂ、２Ｃ、２Ｄはそれぞれ、トナーメモリ２１と、現像ローラ２２とを有する。トナーメモリ２１は、情報の読み出しおよび書き込みが可能な記憶媒体である。トナーメモリ２１に記憶される情報には、例えば、トナーの色情報、現像ローラ２２の回転数、トナーの使用量、トナーカートリッジ２に関するエラー履歴などが含まれる。なお、トナーメモリ２１には、少なくとも、トナーの色情報が記憶されていればよく、他の記憶される情報は、適宜変更可能である。なお、トナーメモリ２１は、書き込みができず、読み出しのみが可能なメモリであってもよい。
【００２８】
ドラムカートリッジ１Ａ、１Ｂ、１Ｃ、１Ｄそれぞれには、トナーカートリッジ２Ａ、２Ｂ、２Ｃ、２Ｄが装着される。図１では、ドラムカートリッジ１Ａにはトナーカートリッジ２Ａが装着される。ドラムカートリッジ１Ｂにはトナーカートリッジ２Ｂが装着される。ドラムカートリッジ１Ｃにはトナーカートリッジ２Ｃが装着される。ドラムカートリッジ１Ｄにはトナーカートリッジ２Ｄが装着される。
【００２９】
なお、ドラムカートリッジ１Ａ、１Ｂ、１Ｃ、１Ｄそれぞれには、いずれのトナーカートリッジ２Ａ、２Ｂ、２Ｃ、２Ｄでも装着可能である。例えば、ドラムカートリッジ１Ａに、トナーカートリッジ２Ｂが装着可能である。
【００３０】
ドラムカートリッジ１Ａ、１Ｂ、１Ｃ、１Ｄは、それぞれ、ドラムメモリ１１と、感光ドラム１２とを有する。ドラムメモリ１１は、情報の読み出しおよび書き込みが可能な記憶媒体である。ドラムメモリ１１には、ドラムカートリッジ１Ａ、１Ｂ、１Ｃ、１Ｄに関するドラム情報が記憶される。ドラムカートリッジ１Ａ、１Ｂ、１Ｃ、１Ｄに関する情報は、ドラムカートリッジ１に装着されたトナーカートリッジ２のトナーの色情報、ドラムカートリッジ１の製造シリアル番号、識別コード、ドラムカートリッジ１Ａ、１Ｂ、１Ｃ、１Ｄの適合機種、感光ドラム１２の寿命、感光ドラム１２の帯電特性、新品であるかどうかを示す情報、感光ドラム１２の回転数、感光ドラム１２の帯電時間、印刷枚数、エラー履歴などを含む。なお、ドラムメモリ１１は、少なくとも、トナーの色情報を記憶する記憶領域を有する。ドラムメモリ１１に記憶する情報は、適宜変更可能である。
【００３１】
感光ドラム１２の表面は、ドラムカートリッジ１Ａ、１Ｂ、１Ｃ、１Ｄに装着されたトナーカートリッジ２Ａ、２Ｂ、２Ｃ、２Ｄの現像ローラ２２の表面と接触する。トナーカートリッジ２Ａ、２Ｂ、２Ｃ、２Ｄのトナーは、現像ローラ２２を介して、感光ドラム１２の表面に供給される。その際、現像ローラ２２の表面に担持されたトナーは、感光ドラム１２の表面に形成された静電潜像に応じて、現像ローラ２２から感光ドラム１２へ移動する。その結果、感光ドラム１２の表面において、静電潜像が可視像化される。
【００３２】
フレーム１０３は、本体ケーシング１０１内に収容される。フレーム１０３は、複数のスロット１０３Ａ、１０３Ｂ、１０３Ｃ、１０３Ｄを有する。スロット１０３Ａ、１０３Ｂ、１０３Ｃ、１０３Ｄには、トナーカートリッジ２Ａ、２Ｂ、２Ｃ、２Ｄが装着された状態のドラムカートリッジ１Ａ、１Ｂ、１Ｃ、１Ｄが装着される。図１では、スロット１０３Ａには、トナーカートリッジ２Ａが装着された状態のドラムカートリッジ１Ａが装着される。スロット１０３Ｂには、トナーカートリッジ２Ｂが装着された状態のドラムカートリッジ１Ｂが装着される。スロット１０３Ｃには、トナーカートリッジ２Ｃが装着された状態のドラムカートリッジ１Ｃが装着される。スロット１０３Ｄには、トナーカートリッジ２Ｄが装着された状態のドラムカートリッジ１Ｄが装着される。スロット１０３Ａは、本発明の「第１スロット」の一例である。スロット１０３Ｂは、本発明の「第２スロット」の一例である。
【００３３】
なお、スロット１０３Ａは、他のトナーカートリッジ２Ｂ、２Ｃ、２Ｄが装着された状態のドラムカートリッジ１Ｂ、１Ｃ、１Ｄでも装着可能である。同様に、スロット１０３Ｂは、他のトナーカートリッジ２Ａ、２Ｃ、２Ｄが装着された状態のドラムカートリッジ１Ａ、１Ｃ、１Ｄでも装着可能である。スロット１０３Ｃは、他のトナーカートリッジ２Ａ、２Ｃ、２Ｄが装着された状態のドラムカートリッジ１Ａ、１Ｂ、１Ｄでも装着可能である。同様に、スロット１０３Ｄは、他のトナーカートリッジ２Ａ、２Ｂ、２Ｃが装着された状態のドラムカートリッジ１Ａ、１Ｃ、１Ｄでも装着可能である。
【００３４】
本体ケーシング１０１は開閉可能なカバー１０１Ａを有し、カバー１０１Ａを開けることで、トナーカートリッジ２Ａ、２Ｂ、２Ｃ、２Ｄが装着された状態のドラムカートリッジ１Ａ、１Ｂ、１Ｃ、１Ｄが、スロット１０３Ａ、１０３Ｂ、１０３Ｃ、１０３Ｄへ装着可能となる。なお、ドラムカートリッジの数は、２〜３つであってもよく、５つ以上であってもよい。トナーカートリッジの数は、２〜３つであってもよく、５つ以上であってもよい。
【００３５】
制御部３は、本体ケーシング１０１内に収容される。制御部３は、トナーカートリッジが装着された状態において、各トナーカートリッジの各トナーメモリと電気的に接続される。制御部３は、例えば、回路基板と、ＣＰＵ等のプロセッサ３１と、記憶媒体である制御メモリ３２とを有する。プロセッサ３１は、制御メモリ３２に記憶されるプログラムに従って動作することにより、画像形成装置１００における諸処理を実行する。制御メモリ３２は、プロセッサ３１が読みだすプログラム、および、諸処理に必要な情報を記憶する。
【００３６】
制御メモリ３２に記憶されている情報には、少なくとも、スロット１０３Ａ、１０３Ｂ、１０３Ｃ、１０３Ｄそれぞれに対応するトナーの色情報が含まれる。このトナーの色情報は、例えば、工場出荷時に制御メモリ３２に書き込まれる。
【００３７】
ディスプレイ１０４は、例えば、液晶ディスプレイまたは有機ＥＬディスプレイである。ディスプレイ１０４は、制御部３のプロセッサ３１からの指令に従って、画像形成装置１００の動作に関する種々の情報を画面上に表示する。
【００３８】
＜１−２．ドラムカートリッジ装着後の処理について＞
続いて、フレーム１０３にドラムカートリッジ１およびトナーカートリッジ２が装着された後に、プロセッサ３１が行う処理について、説明する。図３は、トナーカートリッジおよびドラムカートリッジの装着後の処理の流れを示すフローチャートである。なお、図３に示すフローチャートは、画像形成装置１００の電源がオンにされると、実行される。
【００３９】
本体ケーシング１０１のカバー１０１Ａが閉じられると、制御部３のプロセッサ３１は、まず、制御メモリ３２から諸情報を読み込む（ステップＳ１）。プロセッサ３１が読み込む情報には、複数のスロット１０３Ａ、１０３Ｂ、１０３Ｃ、１０３Ｄそれぞれに対応するトナーの色情報を含む。
【００４０】
次に、プロセッサ３１はドラムカートリッジ１Ａ、１Ｂ、１Ｃ、１Ｄが装着されているか否かを判定する（ステップＳ２）。プロセッサ３１は、例えば、ドラムメモリ１１と通信可能であるか否かにより、ドラムカートリッジ１Ａ、１Ｂ、１Ｃ、１Ｄの装着の有無を判定する。プロセッサ３１が、ドラムカートリッジ１Ａ、１Ｂ、１Ｃ、１Ｄが装着されていないと判定した場合（ステップＳ２：ＮＯ）、プロセッサ３１は、エラーを出力する（ステップＳ１０）。例えば、プロセッサ３１は、ドラムカートリッジが装着されていないことを示すエラーメッセージ情報をディスプレイ１０４に表示する。
【００４１】
プロセッサ３１が、ドラムカートリッジ１Ａ、１Ｂ、１Ｃ、１Ｄが装着されていると判定した場合（ステップＳ２：ＹＥＳ）、プロセッサ３１はメモリ通信処理を行う（ステップＳ３）。図４は、メモリ通信処理を示すフローチャートである。図４の処理は、スロット１０３Ａ、１０３Ｂ、１０３Ｃ、１０３Ｄそれぞれに装着された、ドラムカートリッジ１Ａ、１Ｂ、１Ｃ、１Ｄおよびトナーカートリッジ２Ａ、２Ｂ、２Ｃ、２Ｄに対して実行される。
【００４２】
プロセッサ３１は、まず、ドラムカートリッジ１Ａのドラムメモリ１１からドラム情報を読み込むドラム読込処理を実行する（ステップＳ１１）。次に、プロセッサ３１は、トナーカートリッジ２Ａのトナーメモリ２１から情報を読み込むトナー読込処理を実行する（ステップＳ１２）。トナー読込処理では、少なくとも、トナーメモリ２１からトナーの色情報を読み込む。なお、ステップＳ１１とステップＳ１２との順序は、逆であってもよい。
【００４３】
続いて、プロセッサ３１は、トナー判定処理を実行する（ステップＳ１３）。トナー判定処理では、ステップＳ１２でトナーメモリ２１から読み込んだトナーの色情報（トナー色情報）と、制御メモリ３２に記憶された色情報とが一致するかを判定する処理である。詳しくは、プロセッサ３１は、スロット１０３Ａに装着されるトナーカートリッジ２Ａのトナーメモリ２１に記憶されたトナーの色情報と、スロット１０３Ａに対応付けられた色情報とが一致するかを判定する。
【００４４】
プロセッサ３１が、トナーメモリ２１から読み込んだトナーの色情報と、制御メモリ３２に記憶された色情報とが一致すると判定した場合（ステップＳ１３：ＹＥＳ）、プロセッサ３１は、ドラムメモリ１１にトナーの色情報が記憶されているかを判定する第１ドラム判定処理を実行する（ステップＳ１４）。第１ドラム判定処理では、プロセッサ３１は、ステップＳ１１で、ドラムメモリ１１から読み込んだ情報に、トナーの色情報が含まれるかを判定する。プロセッサ３１は、ドラムメモリ１１に色情報が記憶されているかにより、感光ドラム１２が、既に使用されているか、未使用であるかを判定する。なお、トナー判定処理は、第１ドラム判定処理の後に実行されてもよい。
【００４５】
プロセッサ３１が、ドラムメモリ１１にトナーの色情報が記憶されていないと判定した場合（ステップＳ１４：ＮＯ）、そのドラムカートリッジ１は未使用品である。その場合、プロセッサ３１は、ドラムメモリ１１にトナーの色情報を書き込む書込処理を実行する（ステップＳ１５）。書込処理で書き込む情報は、図３のステップＳ１で制御メモリ３２から読み込まれ、スロット１０３Ａに対応する色情報である。
【００４６】
プロセッサ３１が、ドラムメモリ１１にトナーの色情報が記憶されていると判定した場合（ステップＳ１４：ＹＥＳ）、そのドラムカートリッジ１Ａは既に使用されている。その場合、プロセッサ３１は、ドラムメモリ１１に記憶された色情報と、制御メモリ３２に記憶されたスロット１０３Ａに対応する色情報と、が一致しているかを判定する第２ドラム判定処理を実行する（ステップＳ１６）。
【００４７】
プロセッサ３１が、色情報が一致していると判定した場合（ステップＳ１６：ＹＥＳ）、プロセッサ３１は、ステップＳ１８の処理に移る。色情報が一致していない場合（ステップＳ１６：ＮＯ）、プロセッサ３１は、ドラムエラーを出力するドラムエラー報知処理を実行する（ステップＳ１７）。例えば、プロセッサ３１は、色情報が異なるスロットにドラムカートリッジが装着されていることを示すエラーメッセージ情報をディスプレイ１０４に表示する。これにより、ユーザに、ドラムカートリッジを、適切なスロットへ装着することを促すことができる。
【００４８】
ドラムカートリッジ１Ａは一度使用されると、ドラムメモリ１１に色情報が書き込まれる。また、ドラムカートリッジ１Ａが装着されるスロット１０３Ａには、色情報が対応づけられている。このため、ドラムカートリッジ１Ａまたはトナーカートリッジ２Ａを交換する場合に、スロット１０３Ａに、スロット１０３Ａに対応するトナーの色と異なる色のドラムカートリッジ１またはトナーカートリッジ２が新たに装着されると、印刷時に混色が生じるおそれがある。このため、ステップＳ１６で色情報が一致していない場合に、エラーを出力することで、印刷時の混色を防ぐことができる。
【００４９】
続いて、プロセッサ３１は、他のスロット１０３Ｂ、１０３Ｃ、１０３Ｄについて、同様のチェック処理を行ったかを判定する（ステップＳ１８）。プロセッサ３１が、他のスロット１０３Ｂ、１０３Ｃ、１０３Ｄについて同様のチェック処理を行っていないと判定した場合（ステップＳ１８：ＮＯ）、プロセッサ３１は、他のスロット１０３Ｂ、１０３Ｃ、１０３Ｄについて、ステップＳ１１以降の処理を再度実行する。プロセッサ３１が、他のスロット１０３Ｂ、１０３Ｃ、１０３Ｄについて処理を行ったと判定した場合（ステップＳ１８：ＹＥＳ）、プロセッサ３１は、印刷モードをカラー印刷モードに設定し（ステップＳ１９）、本処理を終了する。
【００５０】
一方、ステップＳ１３のトナー判定処理において、プロセッサ３１が、トナーメモリ２１から読み込んだトナーの色情報と、制御メモリ３２に記憶された色情報とが一致していないと判定した場合（ステップＳ１３：ＮＯ）、プロセッサ３１は、これまでの処理で、ブラック（Ｋ）のトナーの色情報を読み込んだかを判定する（ステップＳ２０）。
【００５１】
詳しくは、これまでのチェック処理で、ブラックのトナーの色情報が対応付けられたスロットに、ブラックのトナーの色情報をドラムメモリ１１に記憶したドラムカートリッジ、および、ブラックのトナーの色情報をトナーメモリ２１に記憶したトナーカートリッジが装着されていると判定されたかを、プロセッサ３１は判定する。または、これまでの処理で、トナーの色情報を記憶していないドラムメモリ１１に、ブラックのトナーの色情報を書き込む処理が実行されたかを、プロセッサ３１は判定する。
【００５２】
プロセッサ３１が、これまでのチェック処理で、ブラックのトナーの色情報を読み込んだと判定した場合（ステップＳ２０：ＹＥＳ）、モノクロ印刷は可能であるとして、プロセッサ３１は、印刷モードをモノクロ印刷モードに設定し（ステップＳ２１）、本処理を終了する。
【００５３】
プロセッサ３１が、これまでのチェック処理で、ブラックのトナーの色情報を読み込んでいないと判定した場合（ステップＳ２０：ＮＯ）、プロセッサ３１は、エラーを出力する（ステップＳ２２）。例えば、プロセッサ３１は、色情報が異なるスロットにトナーカートリッジが装着されていることを示すエラーメッセージ情報を、ディスプレイ１０４に表示する。これにより、ユーザに、トナーカートリッジを、適切なスロットへ装着することを促すことができる。
【００５４】
図３に戻り、ステップＳ３のメモリ通信処理の後、プロセッサ３１は、印刷命令があったかを判定し（ステップＳ４）、プロセッサ３１は、印刷命令がないと判定した場合（ステップＳ４：ＮＯ）、ステップＳ４の処理を繰り返す。プロセッサ３１が、印刷命令があったと判定した場合（ステップＳ４：ＹＥＳ）、プロセッサ３１は、感光ドラム１２を駆動させる感光ドラム駆動処理を実行し、印刷処理を実行する（ステップＳ５）。このステップＳ５では、設定された印刷モードに応じて、モノクロ印刷またはカラー印刷が実行される。
【００５５】
続いて、プロセッサ３１は、本処理を終了するかを判定する（ステップＳ６）。本処理を終了する場合は、例えば、画像形成装置１００の電源をオフにする場合、または、本体ケーシング１０１のカバー１０１Ａが開かれる場合である。プロセッサ３１が、本処理を終了すると判定した場合（ステップＳ６：ＹＥＳ）、プロセッサ３１は本処理を終了する。プロセッサ３１が、本処理を終了しないと判定した場合（ステップＳ６：ＮＯ）、プロセッサ３１は、ステップＳ４の処理を繰り返す。
【００５６】
以上のように、ドラムメモリ１１に色情報を書き込むことで、ドラムカートリッジ１Ａ、１Ｂ、１Ｃ、１Ｄを交換する場合、ドラムカートリッジ１Ａ、１Ｂ、１Ｃ、１Ｄが、対応する色のスロット１０３Ａ、１０３Ｂ、１０３Ｃ、１０３Ｄに装着されているか否かの判定を行える。これにより、間違った色のドラムカートリッジ１Ａ、１Ｂ、１Ｃ、１Ｄが、スロット１０３Ａ、１０３Ｂ、１０３Ｃ、１０３Ｄに装着されることを防止でき、混色を抑制できる。
【００５７】
また、色情報が異なるスロットにドラムカートリッジが装着されていることを示すエラーメッセージを表示することで、ユーザに、ドラムカートリッジを適切なスロットへ装着させることを促すことができる。さらに、色情報が異なるスロットにトナーカートリッジが装着されていることを示すエラーメッセージを表示することで、ユーザに、トナーカートリッジを適切なスロットへ装着させることを促すことができる。
【００５８】
また、ブラックのトナーカートリッジが装着されている場合、モノクロ印刷を可能とすることで、全く印刷できない状態を回避できる。
【００５９】
＜２．実施形態２＞
以下に、実施形態２の画像形成装置について説明する。本実施形態では、ドラムメモリ１１にトナーの色情報が記憶されていない場合、つまり、ドラムカートリッジが新品である場合に、ドラムメモリ１１にトナーの色情報を書き込むタイミングが、実施形態１と相違する。実施形態１では、複数のドラムカートリッジ１Ａ、１Ｂ、１Ｃ、１Ｄそれぞれについてチェックする毎に、ドラムメモリ１１に色情報を書き込んでいる。実施形態２では、複数のドラムカートリッジ１Ａ、１Ｂ、１Ｃ、１Ｄすべてのチェック処理が終了した後に、ドラムメモリ１１に色情報を書き込む。また、実施形態２では、モノクロ印刷モードを設定しない点でも、実施形態１と相違する。以下、その相違点について説明する。なお、画像形成装置１００の構成は、実施形態１と同じであるため、その説明は省略する。
【００６０】
図５は、トナーカートリッジ２よびドラムカートリッジの装着後の処理の流れを示すフローチャートである。なお、実施形態１と同じ処理については、その説明は省略する。
【００６１】
本体ケーシング１０１のカバー１０１Ａが閉じられると、制御部３のプロセッサ３１は、まず、制御メモリ３２から諸情報を読み込む（ステップＳ３１）。次に、プロセッサ３１はドラムカートリッジ１Ａ、１Ｂ、１Ｃ、１Ｄが装着されているか否かを判定する（ステップＳ３２）。プロセッサ３１が、ドラムカートリッジ１Ａ、１Ｂ、１Ｃ、１Ｄが装着されていないと判定した場合（ステップＳ３２：ＮＯ）、プロセッサ３１は、エラーを出力する（ステップＳ４０）。例えば、プロセッサ３１は、ドラムカートリッジが装着されていないことを示すエラーメッセージ情報を、ディスプレイ１０４に表示する。
【００６２】
プロセッサ３１が、ドラムカートリッジ１Ａ、１Ｂ、１Ｃ、１Ｄが装着されていると判定した場合（ステップＳ３２：ＹＥＳ）、プロセッサ３１はメモリ通信処理を行う（ステップＳ３３）。図６は、メモリ通信処理を示すフローチャートである。
【００６３】
メモリ通信処理では、プロセッサ３１は、まず、ドラムメモリ１１から情報を読み込むドラム読込処理を実行する（ステップＳ５１）。そして、プロセッサ３１は、トナーメモリ２１から情報を読み込むトナー読込処理を実行する（ステップＳ５２）。なお、ステップＳ５１とステップＳ５２との順序は、逆であってもよい。
【００６４】
次に、プロセッサ３１は、トナー判定処理を実行する（ステップＳ５３）。プロセッサ３１が、トナーメモリ２１から読み込んだトナーの色情報と、制御メモリ３２に記憶された色情報とが一致しないと判定した場合（ステップＳ５３：ＮＯ）、プロセッサ３１は、エラーを出力する（ステップＳ５４）。例えば、プロセッサ３１は、色情報が異なるスロットにトナーカートリッジが装着されていることを示すエラーメッセージ情報をディスプレイ１０４に表示する。これにより、ユーザに、トナーカートリッジを、適切なスロットへ装着することを促すことができる。
【００６５】
プロセッサ３１が、トナーメモリ２１から読み込んだトナーの色情報と、制御メモリ３２に記憶された色情報とが一致すると判定した場合（ステップＳ５３：ＹＥＳ）、プロセッサ３１は、ドラムメモリ１１にトナーの色情報が記憶されているかを判定する第１ドラム判定処理を実行する（ステップＳ５５）。プロセッサ３１が、ドラムメモリ１１にトナーの色情報が記憶されていないと判定した場合（ステップＳ５５：ＮＯ）、そのドラムカートリッジ１は未使用品である。この場合、ドラムメモリ１１にトナーの色情報を書き込む必要があるため、プロセッサ３１は、書込フラグをオンにする（ステップＳ５６）。
【００６６】
プロセッサ３１が、ドラムメモリ１１にトナーの色情報が記憶されていると判定した場合（ステップＳ５５：ＹＥＳ）、プロセッサ３１は、ドラムメモリ１１に記憶された色情報と、スロット１０３Ａに対応する色情報とが一致しているかを判定する第２ドラム判定処理を実行する（ステップＳ５８）。プロセッサ３１が、色情報が一致していると判定した場合（ステップＳ５８：ＹＥＳ）、プロセッサ３１は、スロット１０３Ａには、正しいドラムカートリッジ１およびトナーカートリッジ２が装着されているとして、ステップＳ５７の処理に移る。プロセッサ３１が、色情報が一致していないと判定した場合（ステップＳ５８：ＮＯ）、プロセッサ３１は、エラーを出力するドラムエラー報知処理を実行する（ステップＳ５９）。例えば、プロセッサ３１は、色情報が異なるスロットにドラムカートリッジが装着されていることを示すエラーメッセージ情報を、ディスプレイ１０４に表示する。これにより、ユーザに、ドラムカートリッジを、適切なスロットへ装着することを促すことができる。
【００６７】
続いて、プロセッサ３１は、他のスロット１０３Ｂ、１０３Ｃ、１０３Ｄについて、同様のチェック処理を行ったかを判定する（ステップＳ５７）。プロセッサ３１が、他のスロット１０３Ｂ、１０３Ｃ、１０３Ｄについて同様のチェック処理を行っていないと判定した場合（ステップＳ５７：ＮＯ）、プロセッサ３１は、他のスロット１０３Ｂ、１０３Ｃ、１０３Ｄについて、ステップＳ５１以降の処理を再度実行する。プロセッサ３１が、他のスロット１０３Ｂ、１０３Ｃ、１０３Ｄについて処理を行ったと判定した場合（ステップＳ５７：ＹＥＳ）、プロセッサ３１は、本処理を終了する。
【００６８】
図５に戻り、ステップＳ３３のメモリ通信処理の後、プロセッサ３１は、書込フラグがオンであるかを判定する（ステップＳ３４）。書込フラグは、図６のメモリ通信処理において、ドラムメモリ１１に色情報が記憶されていないときに、オンされる。
【００６９】
プロセッサ３１が、書込フラグがオンであると判定した場合(ステップＳ３４：ＹＥＳ)、プロセッサ３１は、対応するドラムカートリッジのドラムメモリ１１に色情報を書き込む書込処理を実行する（ステップＳ３５）。ここで書き込む情報は、図５のステップＳ３１で制御メモリ３２から読み込んだ色情報であって、ドラムカートリッジが装着されているスロットに対応する色情報である。そして、プロセッサ３１は、書込フラグをオフにする（ステップＳ３６）。プロセッサ３１が、書込フラグがオンでないと判定した場合(ステップＳ３４：ＮＯ)、またはステップＳ３６の後、プロセッサ３１は、印刷命令があったかを判定する（ステップＳ３７）。
【００７０】
プロセッサ３１が、印刷命令がないと判定した場合（ステップＳ３７：ＮＯ）、プロセッサ３１は、ステップＳ３７の処理を繰り返す。プロセッサ３１が、印刷命令があったと判定した場合（ステップＳ３７：ＹＥＳ）、プロセッサ３１は、感光ドラム１２を駆動させる感光ドラム駆動処理を実行し、印刷処理を実行する（ステップＳ３８）。続いて、プロセッサ３１は、本処理を終了するかを判定する（ステップＳ３９）。プロセッサ３１が、本処理を終了すると判定した場合（ステップＳ３９：ＹＥＳ）、プロセッサ３１は本処理を終了する。プロセッサ３１が、本処理を終了しないと判定した場合（ステップＳ３９：ＮＯ）、プロセッサ３１は、ステップＳ３７の処理を繰り返す。
【００７１】
以上のように、ドラムメモリ１１に色情報を書き込むことで、ドラムカートリッジ１を交換する場合、ドラムカートリッジ１が、対応する色のスロット１０３Ａに装着されているか否かの判定を行える。これにより、間違った色のドラムカートリッジ１が、スロット１０３Ａに装着されることを防止でき、混色を抑制できる。
【００７２】
また、色情報が異なるスロットにドラムカートリッジが装着されていることを示すエラーメッセージを表示することで、ユーザに、ドラムカートリッジを適切なスロットへ装着させることを促すことができる。さらに、色情報が異なるスロットにトナーカートリッジが装着されていることを示すエラーメッセージを表示することで、ユーザに、トナーカートリッジを適切なスロットへ装着させることを促すことができる。
【００７３】
＜３．実施形態３＞
以下に、実施形態３の画像形成装置について説明する。本実施形態では、ドラムメモリ１１にトナーの色情報を書き込むタイミングが、実施形態１および実施形態２と相違する。実施形態３では、印刷を行った後、つまり、未使用であるドラムカートリッジが、使用された後に、ドラムメモリに色情報を書き込む。なお、本実施形態では、実施形態１と同様、カラー印刷モードと、モノクロ印刷モードとのいずれかで、印刷処理が行われる。以下、実施形態１，２との相違点について説明する。なお、画像形成装置１００の構成は、実施形態１と同じであるため、その説明は省略する。
【００７４】
図７は、トナーカートリッジ２およびドラムカートリッジ１の装着後の処理の流れを示すフローチャートである。
【００７５】
本体ケーシング１０１のカバー１０１Ａが閉じられると、制御部３のプロセッサ３１は、まず、制御メモリ３２から諸情報を読み込む（ステップＳ６１）。次に、プロセッサ３１はドラムカートリッジ１Ａ、１Ｂ、１Ｃ、１Ｄが装着されているか否かを判定する（ステップＳ６２）。プロセッサ３１が、ドラムカートリッジ１Ａ、１Ｂ、１Ｃ、１Ｄが装着されていないと判定した場合（ステップＳ６２：ＮＯ）、プロセッサ３１は、エラーを出力する（ステップＳ６９）。例えば、プロセッサ３１は、ドラムカートリッジが装着されていないことを示すエラーメッセージ情報をディスプレイ１０４に表示する。
【００７６】
プロセッサ３１が、ドラムカートリッジ１Ａ、１Ｂ、１Ｃ、１Ｄが装着されていると判定した場合（ステップＳ６２：ＹＥＳ）、プロセッサ３１はメモリ通信処理を行う（ステップＳ６３）。図８は、メモリ通信処理を示すフローチャートである。
【００７７】
プロセッサ３１は、まず、ドラムメモリ１１からドラム情報を読み込むドラム読込処理を実行する（ステップＳ８１）。次に、プロセッサ３１は、トナーカートリッジ２Ａのトナーメモリ２１から情報を読み込むトナー読込処理を実行する（ステップＳ８２）。なお、ステップＳ８１とステップＳ２２との順序は、逆であってもよい。
【００７８】
続いて、プロセッサ３１は、トナー判定処理を実行する（ステップＳ８３）。プロセッサ３１が、トナーメモリ２１から読み込んだトナーの色情報と、制御メモリ３２に記憶された色情報とが一致すると判定した場合（ステップＳ８３：ＹＥＳ）、プロセッサ３１は、ドラムメモリ１１にトナーの色情報が記憶されているかを判定する第１ドラム判定処理を実行する（ステップＳ８４）。
【００７９】
プロセッサ３１が、ドラムメモリ１１にトナーの色情報が記憶されていないと判定した場合（ステップＳ８４：ＮＯ）、そのドラムカートリッジ１は未使用品である。この場合、ドラムメモリ１１にトナーの色情報を書き込む必要があるため、プロセッサ３１は、書込フラグをオンにする（ステップＳ８５）。
【００８０】
プロセッサ３１が、ドラムメモリ１１にトナーの色情報が記憶されていると判定した場合（ステップＳ８４：ＹＥＳ）、そのドラムカートリッジ１Ａは既に使用されている。この場合、プロセッサ３１は、ドラムメモリ１１に記憶された色情報と、制御メモリ３２に記憶されたスロット１０３Ａに対応する色情報と、が一致しているかを判定する第２ドラム判定処理を実行する（ステップＳ８６）。
【００８１】
プロセッサ３１が、色情報が一致していると判定した場合（ステップＳ８６：ＹＥＳ）、プロセッサ３１は、ステップＳ８８の処理に移る。色情報が一致していない場合（ステップＳ８６：ＮＯ）、プロセッサ３１は、ドラムエラーを出力するドラムエラー報知処理を実行する（ステップＳ８７）。例えば、プロセッサ３１は、色情報が異なるスロットにドラムカートリッジが装着されていることを示すエラーメッセージ情報をディスプレイ１０４に表示する。これにより、ユーザに、ドラムカートリッジを、適切なスロットへ装着することを促すことができる。
【００８２】
続いて、プロセッサ３１は、他のスロット１０３Ｂ、１０３Ｃ、１０３Ｄについて、同様のチェック処理を行ったかを判定する（ステップＳ８８）。プロセッサ３１が、他のスロット１０３Ｂ、１０３Ｃ、１０３Ｄについて同様のチェック処理を行っていないと判定した場合（ステップＳ８８：ＮＯ）、プロセッサ３１は、他のスロット１０３Ｂ、１０３Ｃ、１０３Ｄについて、ステップＳ８１以降の処理を再度実行する。プロセッサ３１が、他のスロット１０３Ｂ、１０３Ｃ、１０３Ｄについて処理を行ったと判定した場合（ステップＳ８８：ＹＥＳ）、プロセッサ３１は、印刷モードをカラー印刷モードに設定し（ステップＳ８９）、本処理を終了する。
【００８３】
一方、ステップＳ８３のトナー判定処理において、プロセッサ３１が、トナーメモリ２１から読み込んだトナーの色情報と、制御メモリ３２に記憶された色情報とが一致していないと判定した場合（ステップＳ８３：ＮＯ）、プロセッサ３１は、これまでの処理で、ブラック（Ｋ）のトナーの色情報を読み込んだかを判定する（ステップＳ９０）。
【００８４】
プロセッサ３１が、これまでのチェック処理で、ブラックのトナーの色情報を読み込んだと判定した場合（ステップＳ９０：ＹＥＳ）、モノクロ印刷は可能であるとして、プロセッサ３１は、印刷モードをモノクロ印刷モードに設定し（ステップＳ９１）、本処理を終了する。
【００８５】
プロセッサ３１が、これまでのチェック処理で、ブラックのトナーの色情報を読み込んでいない場合（ステップＳ９０：ＮＯ）、プロセッサ３１は、エラーを出力する（ステップＳ９２）。例えば、プロセッサ３１は、色情報が異なるスロットにトナーカートリッジが装着されていることを示すエラーメッセージ情報をディスプレイ１０４に表示する。これにより、ユーザに、トナーカートリッジを、適切なスロットへ装着することを促すことができる。
【００８６】
図７に戻り、ステップＳ６３のメモリ通信処理の後、プロセッサ３１は、印刷命令があったかを判定し（ステップＳ６４）、プロセッサ３１が、印刷命令がないと判定した場合（ステップＳ６４：ＮＯ）、プロセッサ３１は、ステップＳ６４の処理を繰り返す。プロセッサ３１が、印刷命令があったと判定した場合（ステップＳ６４：ＹＥＳ）、プロセッサ３１は、設定された印刷モードが、モノクロ印刷モードであるかを判定する（ステップＳ６５）。プロセッサ３１が、印刷モードがモノクロ印刷モードであると判定した場合（ステップＳ６５：ＹＥＳ）、プロセッサ３１は、モノクロ印刷処理を実行する（ステップＳ６６）。
【００８７】
図９は、モノクロ印刷処理を示すフローチャートである。
【００８８】
プロセッサ３１は、書込フラグがオンであるかを判定する（ステップＳ１０１）。書込フラグは、図８のメモリ通信処理において、ドラムメモリ１１に色情報が記憶されていないときに、オンされる。プロセッサ３１が、書込フラグがオンであると判定した場合(ステップＳ１０１：ＹＥＳ)、プロセッサ３１は、感光ドラム１２を駆動させる感光ドラム駆動処理を実行し、モノクロ印刷を実行し（ステップＳ１０２）、その後、ドラムメモリ１１に色情報を書き込む書込処理を実行する（ステップＳ１０３）。ここで書き込む情報は、図８のステップＳ８２において、トナーがブラックのトナーカートリッジ２のトナーメモリ２１から読み込んだ情報に含まれる色情報である。そして、プロセッサ３１は、書込フラグをオフにする（ステップＳ１０４）。一方、プロセッサ３１が、書込フラグがオンでないと判定した場合(ステップＳ１０１：ＮＯ)、プロセッサ３１は、モノクロ印刷を実行する（ステップＳ１０５）。なお、ステップＳ１０２と、ステップＳ１０３とは、処理順序が逆であってもよい。
【００８９】
図７に戻り、ステップＳ６６のモノクロ印刷処理の後、プロセッサ３１は、本処理を終了するかを判定する（ステップＳ６８）。プロセッサ３１が、本処理を終了すると判定した場合（ステップＳ６８：ＹＥＳ）、プロセッサ３１は本処理を終了する。プロセッサ３１が、本処理を終了しないと判定した場合（ステップＳ６８：ＮＯ）、プロセッサ３１は、ステップＳ６４の処理を繰り返す。
【００９０】
ステップＳ６５において、プロセッサ３１が、印刷モードがモノクロ印刷モードでないと判定した場合（ステップＳ６７：ＮＯ）、プロセッサ３１は、カラー印刷処理を実行する（ステップＳ６７）。図１０は、カラー印刷処理を示すフローチャートである。
【００９１】
プロセッサ３１は、書込フラグがオンであるかを判定する（ステップＳ１１１）。プロセッサ３１が、書込フラグがオンであると判定した場合(ステップＳ１１１：ＹＥＳ)、プロセッサ３１は、感光ドラム１２を駆動させる感光ドラム駆動処理を実行し、カラー印刷を実行し（ステップＳ１１２）、その後、プロセッサ３１は、ドラムメモリ１１に色情報を書き込む書込処理を実行する（ステップＳ１１３）。そして、プロセッサ３１は、書込フラグをオフにする（ステップＳ１１４）。一方、プロセッサ３１が、書込フラグがオンでないと判定した場合(ステップＳ１１１：ＮＯ)、プロセッサ３１は、カラー印刷を実行する（ステップＳ１１５）。なお、ステップＳ１１２と、ステップＳ１１３とは、処理順序が逆であってもよい。
【００９２】
図７に戻り、ステップＳ７０のカラー印刷処理の後、プロセッサ３１は、本処理を終了するかを判定する（ステップＳ６８）。
【００９３】
以上のように、ドラムメモリ１１に色情報を書き込むことで、ドラムカートリッジ１を交換する場合、ドラムカートリッジ１が、対応する色のスロット１０３Ａに装着されているか否かの判定を行える。これにより、間違った色のドラムカートリッジ１が、スロット１０３Ａに装着されることを防止でき、混色を抑制できる。
【００９４】
また、色情報が異なるスロットにドラムカートリッジが装着されていることを示すエラーメッセージを表示することで、ユーザに、ドラムカートリッジを適切なスロットへ装着させることを促すことができる。さらに、色情報が異なるスロットにトナーカートリッジが装着されていることを示すエラーメッセージを表示することで、ユーザに、トナーカートリッジを適切なスロットへ装着させることを促すことができる。
【００９５】
また、ブラックのトナーカートリッジが装着されている場合、モノクロ印刷を可能とすることで、全く印刷できない状態を回避できる。
【００９６】
＜４．変形例＞
以上、本発明の一実施形態について説明したが、本発明は、上記の実施形態に限定されるものではない。
【００９７】
上記の実施形態で説明したフローチャートにおいて、各処理の実行順序は適宜変更可能である。
【００９８】
上記の実施形態では、制御メモリ３２に記憶される色情報は、工場出荷時に書き込まれるものとして説明した。しかしながら、例えば、画像形成装置１００を初めて使用する際に、スロット１０３Ａに挿入されたトナーカートリッジ２のトナーメモリ２１に記憶されたトナーの色情報を、制御メモリ３２に書き込むようにしてもよい。
【００９９】
また、上記の実施形態において、モノクロ印刷モードを実行する際、ユーザにモノクロ印刷モードで実行することを、例えば、ディスプレイ１０４で報知するようにしてもよい。また、実施形態２は、モノクロ印刷モードを設定していないが、設定していてもよい。さらに、実施形態１、３は、モノクロ印刷モードを設定しているが、設定していなくてもよい。
【０１００】
また、上記の実施形態または変形例に登場した各要素を、矛盾が生じない範囲で、適宜に組み合わせてもよい。
【符号の説明】
【０１０１】
１        ：ドラムカートリッジ
１Ａ      ：ドラムカートリッジ
１Ｂ      ：ドラムカートリッジ
１Ｃ      ：ドラムカートリッジ
１Ｄ      ：ドラムカートリッジ
２        ：トナーカートリッジ
２Ａ      ：トナーカートリッジ
２Ｂ      ：トナーカートリッジ
２Ｃ      ：トナーカートリッジ
２Ｄ      ：トナーカートリッジ
３        ：制御部
１１      ：ドラムメモリ
１２      ：感光ドラム
２１      ：トナーメモリ
２２      ：現像ローラ
３１      ：プロセッサ
３２      ：制御メモリ
１００    ：画像形成装置
１０１    ：本体ケーシング
１０１Ａ  ：カバー
１０３    ：フレーム
１０３Ａ  ：スロット
１０３Ｂ  ：スロット
１０３Ｃ  ：スロット
１０３Ｄ  ：スロット
１０４    ：ディスプレイ
【図１】
2019174677.tif 000003
【図２】
2019174677.tif 000004
【図３】
2019174677.tif 000005
【図４】
2019174677.tif 000006
【図５】
2019174677.tif 000007
【図６】
2019174677.tif 000008
【図７】
2019174677.tif 000009
【図８】
2019174677.tif 000010
【図９】
2019174677.tif 000011
【図１０】
2019174677.tif 000012